(57)【要約】【課題】送信側のコグニティブ無線端末の送信途中に他の無線通信システムに属する無線端末による送信が開始されることによって生じるこれらの無線端末双方の通信の阻害を防止する。【解決手段】無線通信装置が、複数の信号点のうちの信号の電力レベルが０である信号点をとりうる変調方式を用いてキャリア信号をデータにより変調する変調器１と、入力されるデータ列のビットパターンのうちの変調器１から出力される変調信号の電力レベルが０である信号点に対応するビットパターンを予測して、このビットパターンが発生する時間中制御信号を発信する０期間判定器２と、０期間判定器２からの制御信号に応じてキャリア検出処理を行うキャリア検出器３とを備える。【選択図】図１
2008244589.tif 000002
【特許請求の範囲】
【請求項１】
複数の信号点のうちの信号の電力レベルが０である信号点をとりうる変調方式を用いてキャリア信号をデータにより変調する変調器と、
入力されるデータ列のビットパターンのうちの前記変調器から出力される変調信号の電力レベルが０である信号点に対応するビットパターンを予測して、このビットパターンが発生する時間中制御信号を発信する０期間判定器と、
前記０期間判定器からの制御信号に応じてキャリア検出処理を行うキャリア検出器とを備えたことを特徴とする無線通信装置。
【請求項２】
複数の信号点のうちの信号の電力レベルが０である信号点をとりうる変調方式を用いてキャリア信号をデータにより変調する変調器と、
入力されるデータ列のビットパターンのうちの前記変調器から出力される変調信号の電力レベルが０である信号点に対応するビットパターンを予測して、このビットパターンが発生する時間中制御信号を発信する０期間判定器と、
無線周波数のキャリア信号を発生させる発振器と、
このキャリア信号と前記変調器からの変調信号とを乗算する第１ミキサと、
前記第１ミキサからの信号を増幅する電力増幅器と、
前記電力増幅器から出力される信号と前記発振器からのキャリア信号とを乗算する第２ミキサと、
この第２ミキサからの信号に含まれるＤＣオフセット成分を除去した出力をデジタル信号に変換するＤＣオフセットキャンセラ部と、
前記０期間判定器から制御信号が送られてきた場合に、前記ＤＣオフセットキャンセラ部からの信号を積分する積分器と、
この積分器が積分して得た数値と、判別のための閾値とを比較して、前記数値が前記閾値よりも大きいと判別した場合には、受信キャリアを検出したと判定する閾値判定器と、を備えたことを特徴とする無線通信装置。
【請求項３】
前記変調器は、入力されるバイナリデータの値に応じてキャリアの送信のオン又はオフを行うＡＳＫ（Amplitude Shift Keying）変調器であることを特徴とする請求項１又は請求項２記載の無線通信装置。
【請求項４】
前記変調器は、パルス波により変調された変調キャリアを出力した後、このパルス波の次のパルス波により変調された変調キャリアを出力するまでのノンキャリア時間を、送信データに応じて変化させるＰＰＭ（Pulse Position Modulation）変調器であることを特徴とする請求項１又は請求項２記載の無線通信装置。
【請求項５】
入力されるバイナリデータを符号化して、符号化して得た複数のビットを１ブロックのデータとして記憶する記憶部を有し、この記憶部に記憶された１ブロック分のビットの数よりも少ない数を有する複数の連続したビットのパターンの出現回数をカウントし、この出現回数に応じて前記連続したビットのパターンに１シンボル分のビット数を有する符号語を割り当てて符号化したデータを出力する符号化器を更に備え、
前記変調器が、この符号化器から出力されるデータにより前記キャリア信号を変調することを特徴とする請求項３記載の無線通信装置。
【請求項６】
キャリアの同相成分及び直交成分に相当する２軸により表されるＩＱ平面上に均等に配置された複数のシンボル点と、０点とからなる信号点のうちのいずれかをとりうる変調方式を用いてキャリア信号をデータにより変調する変調器と、
入力されるデータ列のビットパターンのうちの前記変調器から出力される変調信号の電力レベルが０である信号点に対応するビットパターンを予測して、このビットパターンが発生する時間中制御信号を発信する０期間判定器と、
前記０期間判定器からの制御信号に応じてキャリア検出処理を行うキャリア検出器とを備えたことを特徴とする無線通信装置。
【請求項７】
前記キャリア検出器は、
無線周波数のキャリア信号を発生させる発振器と、
このキャリア信号の位相に対して９０°の位相回転を行う９０°位相器と、
前記変調器からの変調信号と、前記発振器からのキャリア信号とを乗算する第１ミキサと、
前記変調器からの変調信号と、前記９０°位相器からのキャリア信号とを乗算する第２ミキサと、
前記第１ミキサからの信号と、前記第２ミキサからの信号とを加算する加算器と、
この加算器からの出力を増幅する電力増幅器と、
前記電力増幅器から出力される信号と前記発振器からのキャリア信号とを乗算する第２ミキサと、
この第２ミキサからの信号に含まれるＤＣオフセット成分を除去した出力をデジタル信号に変換するＤＣオフセットキャンセラ部と、
前記０期間判定器から制御信号が送られてきた場合に、前記ＤＣオフセットキャンセラ部からの信号を積分する積分器と、
この積分器が積分して得た数値と、判別のための閾値とを比較して、前記数値が前記閾値よりも大きいと判別した場合には、受信キャリアを検出したと判定する閾値判定器と、
を備えたことを特徴とする請求項６記載の無線通信装置。
【請求項８】
入力されるバイナリデータを符号化して、符号化して得た複数のビットを１ブロックのデータとして記憶する記憶部を有し、この記憶部に記憶された１ブロック分のビットの数よりも少ない数を有する複数の連続したビットのパターンの出現回数をカウントし、この出現回数に応じて前記連続したビットのパターンに１シンボル分のビット数を有する符号語を割り当てて符号化したデータを出力する符号化器をさらに備えたことを特徴とする請求項６記載の無線通信装置。
【請求項９】
前記ＤＣオフセットキャンセラ部は、
前記第２ミキサからのアナログ信号から一定値のＤＣオフセット電力値を減算するＤＣオフセットキャンセラと、
このＤＣオフセットキャンセラからのアナログ信号をデジタル信号に変換するＡＤ変換器と、を備えることを特徴とする請求項２又は請求項７記載の無線通信装置。
【請求項１０】
前記ＤＣオフセットキャンセラ部は、
前記第２ミキサからのアナログ信号をデジタル信号に変換するＡＤ変換器と、
このＡＤ変換器から出力されるデジタル信号から所定値のＤＣオフセット値を減算する演算回路と、を備えることを特徴とする請求項２又は請求項７記載の無線通信装置。
【発明の詳細な説明】
【技術分野】
【０００１】
この発明は、無線通信装置に関し、特にコグニティブ無線装置に用いて好適な無線通信装置に関する。
【背景技術】
【０００２】
コグニティブ無線端末はライセンスシステムが使用する周波数帯域に対する衝突を最小限にするため、可能な限り早期にライセンスシステムの端末の送信を検知し、ライセンス端末からの送信を停止することが望ましい。
【０００３】
干渉波の計測方法に関しては、従来、自局と基地局との間の伝搬遅延時間の測定に割り当てられる遅延測定フレームに含まれるガードタイムの時間中に他セルからの干渉波を計測する他セル干渉計測方法が提案されている（特許文献１参照）。この特許文献１に記載の技術では、基地局が加入者局の送信タイミングを指示し、該当する加入者局は指示されたタイミングでレスポンスデータを送信する。この方法では基地局と端末局とが同一のライセンスシステムに属しており、これらの基地局及び端末局がタイムスロットの位置といったフレームのフォーマットを知ることができるからこそ、干渉波の検出が可能になるといえる。
【特許文献１】特開２００３−１９８４５４号公報
【発明の開示】
【発明が解決しようとする課題】
【０００４】
しかしながら、ライセンス端末が送信を開始するとこのライセンス端末からの送信を中断することはできない。また、フレームのフォーマットを知ることのできないコグニティブ無線装置は他セルからの干渉波を計測するタイミングを知ることができず、キャリアセンスを行えない。従来技術を用いたキャリアセンスの方法によると、コグニティブ無線端末が送信している時間では、その送信している周波数と同一の周波数を用いてコグニティブ無線端末は受信を行えないという不具合があった。
【０００５】
そこで本発明は、上記の課題に鑑み、コグニティブ無線方式で通信を行う際、送信側のコグニティブ無線端末が送信している途中に他の無線通信システムに属する無線端末による送信が開始された場合に、これらのコグニティブ無線端末及び無線端末双方の通信が阻害されることを防止することが可能な無線通信装置を提供することを目的とする。
【課題を解決するための手段】
【０００６】
このため、本発明の一態様によれば、複数の信号点のうちの信号の電力レベルが０である信号点をとりうる変調方式を用いてキャリア信号をデータにより変調する変調器と、入力されるデータ列のビットパターンのうちの前記変調器から出力される変調信号の電力レベルが０である信号点に対応するビットパターンを予測して、このビットパターンが発生する時間中制御信号を発信する０期間判定器と、前記０期間判定器からの制御信号に応じてキャリア検出処理を行うキャリア検出器とを備えたことを特徴とする無線通信装置が提供される。
【０００７】
また、本発明の別の一態様によれば、複数の信号点のうちの信号の電力レベルが０である信号点をとりうる変調方式を用いてキャリア信号をデータにより変調する変調器と、入力されるデータ列のビットパターンのうちの前記変調器から出力される変調信号の電力レベルが０である信号点に対応するビットパターンを予測して、このビットパターンが発生する時間中制御信号を発信する０期間判定器と、無線周波数のキャリア信号を発生させる発振器と、このキャリア信号と前記変調器からの変調信号とを乗算する第１ミキサと、前記第１ミキサからの信号を増幅する電力増幅器と、前記電力増幅器から出力される信号と前記発振器からのキャリア信号とを乗算する第２ミキサと、この第２ミキサからの信号に含まれるＤＣオフセット成分を除去した出力をデジタル信号に変換するＤＣオフセットキャンセラ部と、前記０期間判定器から制御信号が送られてきた場合に、前記ＤＣオフセットキャンセラ部からの信号を積分する積分器と、この積分器が積分して得た数値と、判別のための閾値とを比較して、前記数値が前記閾値よりも大きいと判別した場合には、受信キャリアを検出したと判定する閾値判定器と、を備えたことを特徴とする無線通信装置が提供される。
【０００８】
また、本発明の別の一態様によれば、キャリアの同相成分及び直交成分に相当する２軸により表されるＩＱ平面上に均等に配置された複数のシンボル点と、０点とからなる信号点のうちのいずれかをとりうる変調方式を用いてキャリア信号をデータにより変調する変調器と、入力されるデータ列のビットパターンのうちの前記変調器から出力される変調信号の電力レベルが０である信号点に対応するビットパターンを予測して、このビットパターンが発生する時間中制御信号を発信する０期間判定器と、前記０期間判定器からの制御信号に応じてキャリア検出処理を行うキャリア検出器とを備えたことを特徴とする無線通信装置が提供される。
【発明の効果】
【０００９】
本発明によれば、送信中にキャリアセンスを行うことによって、送信途中にライセンスシステムに属する無線端末が通信を開始した場合でもキャリアセンスを行うことが可能となる。
【発明を実施するための最良の形態】
【００１０】
以下、本発明の実施の形態に係る無線通信装置について、図面を参照しながら説明する。尚、各図において同一箇所については同一の符号を付すとともに、重複した説明は省略する。
【００１１】
（第１の実施形態）
本発明の第１の実施形態に係る無線通信装置は、コグニティブ無線通信を行う端末に搭載される。コグニティブ無線方式では、複数の無線通信システムが周波数帯域を共用する。複数の無線通信システムのうちの特定の無線通信システムに対して周波数帯域の使用のライセンスが与えられる。他の無線通信システムは、ライセンスを与えられた周波数帯域のうちの予め決められた周波数帯域を、コグニティブ無線のための周波数帯域として使用する。この方式では、通信前に、ライセンス端末が、共用周波数帯域のキャリア検出を行い、所定の周波数の電波の有無を検知する。
【００１２】
図１は本実施形態に係る無線通信装置の構成図である。この無線通信装置は、図１に示すように、複数の信号点のうちの信号の電力レベルが０である信号点をとりうる変調方式を用いてキャリア信号をデータにより変調する変調器１と、バイナリデータ列に含まれる送信バイナリデータを変調器１が変調して得られた変調信号の電力レベルが０である信号点に対応するバイナリデータ列のデータパターンが発生する時間中制御信号を発信する０期間判定器２と、この０期間判定器からの制御信号に応じてキャリア検出処理を行うキャリア検出器３とを備えている。
【００１３】
変調器１は、ＡＳＫ、ＰＰＭ又はＰＡＳＫ（位相振幅変調）の変調方式によりデータを変調して変調信号を出力する。ＡＳＫ、ＰＰＭ及びＰＡＳＫは、ＩＱ平面上において複数個の信号点のうちの０点、すなわち、変調信号の電力レベルが０である信号点をとる変調方式である。変調器１には、キャリア信号を発生する搬送波発生手段、及びこのキャリア信号を増幅する増幅手段も設けられている。変調器１は、キャリア信号の周波数帯域に隣接する帯域に対して要求されるスプリアス発射の強度の許容値に応じて、変調信号からスプリアス成分を除去する図示しないフィルタを持っていてもよい。
【００１４】
０期間判定器２の機能は、１ビット又は複数ビットからなる１シンボルあたりの送信バイナリデータを記憶するバッファと、このバッファに記憶されたシンボルが変調されたときの変調信号の電力レベルが０であるタイミングあるいは時間間隔を表す制御信号を出力するロジック回路とが協働することによって実現する。
【００１５】
キャリア検出器３は、別の無線システムの移動局や基地局からのキャリアを受信する受信系の処理手段と、０期間判定器２から入力される制御信号の値の読み取り又は制御信号の論理の判定のための回路とを有する。
【００１６】
このような構成の無線通信装置を有する端末が、データを送信する場合、送信バイナリデータである送信データが変調器１に入力されて、この送信データと同じデータが０期間判定器２に入力される。変調器１の搬送波発生手段は、所定の周波数のキャリア信号を発生させて、増幅手段はこの搬送波発生手段から出力されるキャリア信号を、入力された送信データに応じて電力増幅する。これにより、変調信号が出力される。変調器１がフィルタリングを行う場合にはフィルタは変調信号からスプリアス成分を除去する。
【００１７】
０期間判定器２は送信データが入力されると、変調器１がキャリア信号を送信する時間を、その入力された送信データから判断し、キャリア信号を送信しない時間内にキャリア検出の処理を行うよう指示するための制御信号をキャリア検出器３に伝達する。
【００１８】
キャリア検出器３は０期間判定器２からの制御信号を入力とし、制御信号がキャリア検出処理を行うよう指示することを表している時間内においてキャリア検出処理を行う。キャリア検出機能はアンテナ部４から受信された信号に、端末が変調信号の送信に用いている周波数帯域に雑音以外の信号の電力が存在するかどうかを検出する機能である。
【００１９】
以上により、本実施形態に係る無線通信装置は、無線信号の送信時間中であっても、送信信号の周波数帯域内にある帯域を有するキャリアの検出が可能となる。従って、端末がキャリアの送信中に別の無線システムの移動局や基地局がキャリアの送信を行った場合でも、端末はこのキャリアを短時間で検出することができる。このキャリアの検出により、端末は、キャリアの送信を停止する、又は送信キャリアの周波数を変更するなどの対処を取ることが可能となる。これにより、キャリアセンスのために通信を停止する時間を端末が挿入する必要がなくなり、周波数の利用効率を向上させることが可能となる。
【００２０】
このようにして、本実施形態に係る無線通信装置によれば、端末が送信中にキャリアセンスを行うことによって、端末が送信中にライセンスシステムが通信を開始してもキャリアを検知することが可能となる。また、端末が迅速に送信停止や周波数変更などの回避策をとることにより、端末が与えるライセンスシステムへの衝突を最小限度に抑えることができる。
【００２１】
このように、本発明によれば、送信中にキャリアセンスを行うことによって、送信途中にライセンスシステムに属する無線端末が通信を開始した場合でもキャリアセンスを行うことが可能となる。
【００２２】
（第２の実施形態）
本発明の第２の実施形態に係る無線通信装置はＡＳＫ変調を行う。図２（ａ）は本実施形態に係る無線通信装置の構成図である。本実施形態に係る無線通信装置は、入力されるバイナリデータの値に応じてキャリアの送信のオン又はオフを行うＡＳＫ変調器５を備えている。ＡＳＫ変調器５は、キャリア信号を発生する図示しない搬送波発生手段と、このキャリア信号を増幅する図示しない増幅手段とを備えている。ＡＳＫ変調器５は、キャリア信号の周波数帯域に隣接する帯域に対して要求されるスプリアス発射の強度の許容値に応じて、変調信号からスプリアス成分を除去するフィルタを、搬送波発生手段の出力側に設けてもよい。図２（ａ）に示す符号のうちの上述した符号と同じ符号を有するものはそれらと同じものを表す。
【００２３】
０期間判定器２は、送信データを記憶する図示しないバッファのバイナリデータの値に応じて、キャリアのオン又はオフを判定する。０期間判定器２は、バイナリデータの１又は０のパターンと、０とを比較することにより、バイナリデータの１又は０の予測を行う。この予測の機能は、例えばＡＮＤゲートを０期間判定器２に設けることにより実現する。
【００２４】
このような構成の無線通信装置を有する端末が、ＡＳＫ変調を用いてデータ送信する場合、送信データがＡＳＫ変調器５と０期間判定器２とに入力される。ＡＳＫ変調器５の搬送波発生手段は決められた周波数のキャリア信号を発生させる。ＡＳＫ変調器５は、入力された送信データが１である場合には、搬送波発生手段から出力されるキャリア信号を電力増幅して送信し、この送信データが０である場合にはキャリア信号を送信しない。逆に、ＡＳＫ変調器５は、搬送波発生手段を用いて発生させたキャリア信号を、入力された送信データが１である場合には送信せずに、この送信データが０である場合にはキャリア信号の送信を行うようにしてもよい。ＡＳＫ変調器５にフィルタが設けられた場合には、ＡＳＫ変調器５は送信するキャリア信号の周波数帯域の隣接帯域に対するスプリアス要求に応じてフィルタリングを行う。
【００２５】
図２（ｂ）はＡＳＫ変調器５から出力される変調信号の一例を示す図である。０期間判定器２は送信データが入力されると、ＡＳＫ変調器５がキャリア信号を送信する時間を予測して、キャリア信号を送信しない時間においてキャリア検出処理を行うよう指示する制御信号をキャリア検出器３に伝達する。キャリア検出器３は０期間判定器２からの制御信号を入力とし、制御信号がキャリア検出処理を行うよう指示する時間内においてキャリア検出処理を行う。キャリア検出機能はアンテナ部４から受信される信号に、雑音以外の電力が送信を行っている周波数帯域に存在するかを検出する機能である。
【００２６】
このように、０期間判定器２の予測により、バイナリデータ１又は０の時間が検出される。０期間判定器２は、バイナリデータが０であることを検出した場合には、制御信号をキャリア検出器２に通知する。キャリア検出器２は、受信信号の電力レベルを見ることにより、ライセンス端末からの電波の有無を判定する。そして、キャリア検出器２は、次の送信を停止する。ＡＳＫ変調では、キャリア信号を出す又はキャリア信号を出さないことによって、データが変調されるため、端末はキャリア信号を出していない期間を利用して、この期間をキャリアセンスのために利用しているといえる。従って、端末が通信をしている途中に、他のライセンス端末が、送信を開始すると、端末は、送信を停止する。これによって、端末は干渉を検知でき、また、干渉が生じなくなるため、端末は通信をしながらキャリアセンスを行うことができる。コグニティブ無線端末どうしが通信する場合には、端末は、コグニティブ無線端末から送信されたキャリアであると判定する。
【００２７】
以上により、端末が無線送信時間中であっても、端末は送信周波数帯域内のキャリア検出が可能となる。端末は、送信中に別の無線システムの移動局又は基地局が送信を行った場合にも、これらの移動局や基地局からの電波を短時間で検出でき、送信を停止することが可能となる。あるいは、端末は、送信中に別の無線システムの移動局又は基地局が送信を行った場合にも、これらの移動局や基地局からの電波を短時間で検出でき、送信周波数を変更するなどの対処を取ることが可能となる。これにより、端末はキャリアセンスのために通信を停止する時間を準備する必要がなくなり、周波数の利用効率を向上させることが可能となる。
【００２８】
また、ＡＳＫ変調方式を用いることによって、本実施形態に係る無線通信装置によっても第１の実施形態の例と同じ効果を得られる。
【００２９】
（第３の実施形態）
本発明の第３の実施形態に係る無線通信装置はＰＰＭ変調を行う。図３（ａ）は本実施形態に係る無線通信装置の構成図である。本実施形態に係る無線通信装置は、パルス波により変調された変調キャリアを出力した後、このパルス波の次のパルス波により変調された変調キャリアを出力するまでのノンキャリア時間を、送信データに応じて変化させるＰＰＭ変調器６と、入力されるデータ列のビットパターンのうちのＰＰＭ変調器６から出力される変調信号の電力レベルが０である信号点に対応するビットパターンを予測して、このビットパターンが発生する時間中制御信号を発信する０期間判定器７とを備えている。図３（ａ）に示す符号のうちの上述した符号と同じ符号を有するものはそれらと同じものを表す。この無線通信装置は第１の実施形態における変調器１をＰＰＭ変調器６に置き換えた構成を有するといえる。
【００３０】
０期間判定器７の構成例を図３（ｂ）に示す。この０期間判定器７は、ダウンカウンタ７ａと、このダウンカウンタ７ａのプリセット値を記憶するテーブルメモリ７ｂと、このプリセット値をダウンカウンタ７ａがカウントした場合にカウント終了信号を出力する制御信号出力部７ｃとを備えている。例えば２ビットずつのシリアルデータが変調される場合、テーブルメモリ７ｂには、４種類のパターン「００」、「０１」、「１０」、「１１」に対応するプリセット値「Ｔ１」、「Ｔ２」、「Ｔ３」、「Ｔ４」が記憶されている。これにより、制御信号出力部７ｃは、シンボルあたりの２ビットのバイナリデータを読み込むとともに、シンボルに対応するプリセット値をテーブルメモリ７ｂから読み出す。
【００３１】
ＰＰＭ変調器６は、パルス変調された所定周波数のキャリアを送信した後のキャリアオフ時間を、送信データに応じた０期間判定器７の制御によって変化させる。図３（ｃ）はＰＰＭ変調器６から出力される変調信号の一例を示す図である。ＰＰＭ変調器６は、同図に示すように、送信データが「１」である場合にはパルス波を送信した後に時間長Ｔ１のキャリアオフ時間を挿入し、送信データが「０」である場合には時間長Ｔ２のキャリアオフ時間を挿入する。０期間判定器７は送信データが入力されると、ＰＰＭ変調器６がキャリア信号を送信する時間を予測し、キャリア信号が送信されない時間中にキャリア検出処理を行うよう指示する制御信号をキャリア検出器３に伝達する。ＰＰＭ変調器６は、２つのキャリアを送信するための期間にデータを変調し、情報が伝達される。
【００３２】
このような構成の無線通信装置において、制御信号出力部７ｃは、テーブルメモリ７ｂに記憶されたプリセット値をダウンカウンタ７ａにセットする。制御信号出力部７ｃは、ダウンカウンタ７ａのカウンタ値がプリセット値よりも小さい場合には１を出力し、また、カウンタ値が０である場合には０を出力する。従って、カウンタ値が０よりも大きい間は、制御信号出力部７ｃからキャリア検出器３に対して制御信号「１」が出力される。カウンタ値が０である場合には、制御信号出力部７ｃからキャリア検出器３に対して制御信号「０」が出力される。バイナリデータがバッファに入力されない間は、制御信号出力部７ｃはキャリア検出器３に対して制御信号「０」を出力し続ける。また、送信バイナリデータがバッファに入力された場合には、制御信号出力部７ｃは、再度、ダウンカウンタ７ａにプリセット値をセットし、制御信号出力部７ｃはキャリア検出器３に対して制御信号を出力する。
【００３３】
この無線通信装置は、図３（ｃ）の１番目のパルス波を出力した後に、次のパルス波が出力されるまでの時間（例えばＴ１）を、送信データに応じて変化させることによって多値化を行う。ＰＰＭ変調器６が送信データを２ビットずつシンボルに割り当てる場合には、例えばデータ「００」、「０１」、「１０」、「１１」に対してそれぞれ時間Ｔ１、Ｔ２、Ｔ３、Ｔ４を予め割り当てし、これらの４種類のデータに応じて、パルス波の送出間隔を変化させる。これにより、４種類の時間が識別される。また、ＰＰＭ変調器６は送信データを１ビットずつシンボルに割り当てて変調信号を送信することもできる。この場合、データ「０」又は「１」にそれぞれ対応するＴ１又はＴ２の間隔によってパルス波が送出される。
【００３４】
このように、本実施形態に係る無線通信装置では、パルス波を出さない期間を０期間判定器７が計算し、端末が２つのパルス波を送信する期間の間の期間にキャリアセンスを行う。また、干渉が生じた場合には、端末はキャリア信号の送信を停止する。
【００３５】
このようにして、本実施形態に係る無線通信装置を有する端末が無線送信時間中であっても、端末は送信周波数帯域内のキャリア検出を行える。端末は、送信中に別の無線システムの移動局又は基地局が送信を行った場合にも、これらから送信された電波を短時間で検出することができ、送信の停止が可能となる。端末は、これらの移動局や基地局からの電波を短時間で検出した場合には、送信周波数を変更することもできる。従って、周波数の利用効率を向上させることが可能となる。
【００３６】
また、ＰＰＭ変調方式を用いることによって、本実施形態に係る無線通信装置によっても第１の実施形態の例と同じ効果を得られる。
【００３７】
（第４の実施形態）
第２の実施形態に係る無線通信装置のキャリア検出機能は、受信信号をＩＦ（中間周波数）信号又はベースバンド信号に周波数変換し、ＩＦ信号又はベースバンド信号をフィルタリングによって帯域制限し、フィルタリングしたアナログ信号をＡＤ変換した後にデジタルデータを累積するといった手段を受信系に設けることによって実現可能である。
【００３８】
図４は本発明の第４の実施形態に係る無線通信装置の構成図である。この無線通信装置は、０期間判定器２と、無線周波数のキャリア信号を発生させる発振器８と、このキャリア信号とＡＳＫ変調器５からの変調信号とを乗算する第１ミキサ９と、第１ミキサ９からの信号を増幅する電力増幅器１０と、この電力増幅器１０から出力される信号と発振器８からのキャリア信号とを乗算する第２ミキサ１１とを備えている。第２ミキサ１１へは、アンテナ部４からの受信信号も入力される。
【００３９】
更にこの無線通信装置は、第２ミキサ１１から出力される信号のフィルタリングを行うローパスフィルタ（ＬＰＦ）１２と、第２ミキサ１１からの信号から一定値のＤＣオフセット電力値を減算するＤＣオフセットキャンセラ１３と、このＤＣオフセットキャンセラ１３からのアナログ信号をデジタル信号に変換するＡＤ変換器１４と、０期間判定器２から制御信号が送られてきた場合に、ＡＤ変換器１４からの信号を積分する積分器１５と、この積分器１５が積分して得た数値と、判別のための閾値とを比較して、その数値が閾値よりも大きいと判別した場合には、受信キャリアを検出したと判定する閾値判定器１６とを備えている。ローパスフィルタフィルタ１２、ＤＣオフセットキャンセラ１３にはアナログ回路が用いられる。積分器１５、閾値判定器１６には例えばロジック回路が用いられる。
【００４０】
受信信号が第２ミキサ１１を用いてダウンコンバートされた場合、この第２ミキサ１１から出力される信号にはＤＣ成分が含まれる。このＤＣ成分は直流電圧である。ＤＣ成分はＤＣオフセットキャンセラ１３により除去される。ＤＣオフセット電圧値は、予め与えられている無線通信装置に固有な値である。ＤＣオフセットキャンセラ１３とＡＤ変換器１４とが協働することにより、第２ミキサ１１からの信号に含まれるＤＣオフセット成分を除去した出力をデジタル信号に変換するＤＣオフセットキャンセラ部の機能が実現する。また、発振器８、第２ミキサ１１、ローパスフィルタ１２、ＤＣオフセットキャンセラ１３、ＡＤ変換器１４、積分器１５及び閾値判定器１６によって、キャリア検出器が構成される。
【００４１】
このような構成により、ＡＳＫ変調器５は送信データに応じてキャリアのオン／オフ信号を発生させる。０期間判定器２は第１の実施形態の例と同じ動作を行う。発振器８は変調信号を無線伝送する周波数の正弦波あるいは余弦波を出力する。第１ミキサ９はＡＳＫ変調器５からのオン／オフ信号と発振器８からの正弦波又は余弦波とを掛け合わせる。電力増幅器１０は第１ミキサ９からの出力信号を所定のゲインで増幅する。第２ミキサ１１は、受信アンテナとしてのアンテナ部４からの受信信号と発振器８からの出力信号とを掛け合わせる。ＤＣオフセットキャンセラ１３は第２ミキサ１１からの信号に対して、一定のオフセット電圧値を減算する。この電圧値は、端末の各部品のばらつきによって異なり、個別に測定され固定値が決定されており、この固定値は予めＤＣオフセットキャンセラ１３に記憶されている。ＡＤ変換器１４はＤＣオフセットキャンセラ１３から出力されるアナログ信号をデジタル信号に変換する。積分器１５はＡＤ変換器１４からのデジタル信号を０期間判定器２からの制御信号に応じて所定期間積算する。
【００４２】
積分器１５は、所定のサンプル数の積分を行った後もしくは所定期間の積算を行った後、又は上位プロトコルの処理を実行する図示しない上位プロトコル処理部から、ネットワーク制御の必要に応じて積算値をリセットするように指示信号を通知された場合には、この指示にしたがって積算値を０にする。閾値判定器１６は積分器１５からの積算値を入力とし、この積算値と、閾値とを比較して、積算値が閾値以上である場合にはキャリアを検出したことを判定する。
【００４３】
キャリアの送信がオフである時間に、発振器８からのキャリアの漏れであるローカルリークが、第１ミキサ９、電力増幅器１０及びアンテナ部４といった送信系から、第２ミキサ１１、ローパスフィルタ１２などの受信系に回り込むことによってＤＣオフセットが生じるが、本実施形態に係る無線通信装置によれば、このＤＣオフセットがキャンセルされるため、キャリア検出機能の精度を向上させることが可能となる。
【００４４】
また、送信系から回り込むローカルリークを低減することにより、第１の実施形態の例の効果をより高めることができる。
【００４５】
（第５の実施形態）
第２の実施形態に係る無線通信装置のキャリア検出機能は、受信信号をＩＦ信号又はベースバンド信号に周波数変換し、ＩＦ信号又はベースバンド信号をフィルタリングによって帯域制限し、フィルタリングしたアナログ信号のＲＳＳＩ（受信信号強度表示信号）を測定するアナログ回路を受信系に設けることなどによっても実現できる。
【００４６】
本発明の第５の実施形態に係る無線通信装置は、第４の実施形態の例でのＤＣオフセットキャンセラ１３と同じ機能を有するＤＣオフセットキャンセラをＡＤ変換器１４の出力側に設けている。図５は本実施形態に係る無線通信装置の構成図である。ＡＤ変換器１４の後段に設けられたＤＣオフセットキャンセラ１３ａは、デジタル値であるＤＣオフセット値を記憶する図示しない記憶手段と、ＡＤ変換器１４からの出力からこのＤＣオフセット値を減算する図示しない減算回路とを有する。従って、ＤＣオフセットをキャンセルする処理がデジタルで行われている。本実施形態においては、ＡＤ変換器１４及びＤＣオフセットキャンセラ１３ａが協働することによって、ＤＣオフセットキャンセラ部の機能が実現する。なお、同図に示される符号のうちの上述した符号と同じ符号を有するものはそれらと同じものを表す。
【００４７】
このような構成により、ＡＤ変換器１４は、ローパスフィルタ１２を介して第２ミキサ１１からアナログ信号をデジタル信号に変換する。ＤＣオフセットキャンセラ１３ａは、このＡＤ変換器１４からのデジタル信号から、一定値のデジタル値であるＤＣオフセット値を減算する。これらのＡＤ変換器１４及びＤＣオフセットキャンセラ１３ａ以外の他の各部の動作については第４の実施形態の例と同じである。
【００４８】
本実施形態に係る無線通信装置は、第４の実施形態の例と同様にＤＣオフセット値を、端末の各部品のばらつきを測定して予め決定しておく。この無線通信装置では、更にその決定した値をデジタル値に変換し、このデジタル値をＤＣオフセットキャンセラ１３ａ内に設けたＲＯＭ又は書き換え可能な不揮発メモリなどの記憶手段に記憶し、ＡＤ変換器１４からの出力値からこの値を減算回路によって減算する。これにより、キャンセルする固定値であるＤＣオフセット値の設定が簡易になる。
【００４９】
また、本実施形態に係る無線通信装置によれば、第１の実施形態の例での効果と同じ効果を得ることができ、第４の実施形態に係る無線通信装置に比べて、オフセットキャンセルをデジタルで行うことによってオフセット値の設定が簡易になる。
【００５０】
（第６の実施形態）
第３の実施形態に係る無線通信装置のキャリア検出機能を実現するためのより詳細な例について述べる。図６は本発明の第６の実施形態に係る無線通信装置の構成図である。この無線通信装置は、ＰＰＭ変調器６、０期間判定器７、発振器８、第１ミキサ９、電力増幅器１０、第２ミキサ１１、ローパスフィルタ１２、ＤＣオフセットキャンセラ１３、ＡＤ変換器１４、積分器１５、及び閾値判定器１６を備えている。ＤＣオフセットキャンセラ１３及びＡＤ変換器１４によって、第２ミキサ１１からの信号に含まれるＤＣオフセット成分を除去した出力をデジタル信号に変換するＤＣオフセットキャンセラ部が構成される。
【００５１】
このような構成によって、ＰＰＭ変調器６は、送信データに応じて、キャリア周波数を有するパルス波を送信した後のキャリアのオフの時間を変化させる。例えば、送信データが「１」である場合にはＰＰＭ変調器６はパルス波を送信した後に時間長Ｔ１のキャリアオフ時間を挿入し、送信データが「０」である場合には時間長Ｔ２のキャリアオフ時間を挿入する。０期間判定器７は第３の実施形態の例と同様の動作を行う。発振器８は変調信号を無線伝送する周波数の正弦波又は余弦波を出力する。第１ミキサ９はＰＰＭ変調器６からの信号と、発振器８からの正弦波又は余弦波とを掛け合わせる。電力増幅器１０は第１ミキサ９からの出力信号を所定のゲインで増幅する。第２ミキサ１１は受信アンテナとしてのアンテナ部４からの受信信号と発振器８からの出力信号とを掛け合わせる。ＤＣオフセットキャンセラ１３はローパスフィルタ１２を介して第２ミキサ１１からの信号から一定の電圧値を減算する。この電圧値は、端末の各部品のばらつきによって異なり、個別に測定され固定値が決定される。ＡＤ変換器１４はＤＣオフセットキャンセラ１３から出力されるアナログ信号をデジタル信号に変換する。積分器１５はＡＤ変換器１４からのデジタル信号を０期間判定器７からの制御信号に応じて所定期間積算する。
【００５２】
積分器１５は、所定のサンプル数の積分を行った後もしくは所定期間の積算を行った後、又は上位プロトコル処理部から、ネットワーク制御の必要に応じて積算値をリセットするように指示信号を通知された場合には、この指示にしたがって積算値を０にする。閾値判定器１６は積分器１５からの積算値を入力とし、この積算値と、閾値とを比較して、積算値が閾値以上である場合にはキャリアを検出したことを判定する。
【００５３】
本実施形態に係る無線通信装置は、キャリアの送信がオフである時間に、ローカルリークが送信系から受信系に回り込むことによって生じるＤＣオフセットをキャンセルする。本実施形態に係る無線通信装置によれば、このＤＣオフセットがキャンセルされるため、キャリア検出機能の精度を向上させることが可能となる。
【００５４】
また、送信系から回り込むローカルリークを低減することにより、第１の実施形態の例での効果をより高めることができる。
【００５５】
（第７の実施形態）
図７は本発明の第７の実施形態に係る無線通信装置の構成図である。本実施形態に係る無線通信装置は、第６の実施形態の例でのＤＣオフセットキャンセラ１３と同じ機能を有するＤＣオフセットキャンセラ１３ａをＡＤ変換器１４の後段に設けている。従って、この無線通信装置では、ＤＣオフセットキャンセルの処理がデジタルで行われる。本実施形態に係る無線通信装置も、第６の実施形態の例と同様に、ＤＣオフセット値を端末の各部品のばらつきを測定して決定する。この無線通信装置は、決定したその値をデジタル値に変換し、このデジタル値をＤＣオフセットキャンセラ１３ａ内に設けたＲＯＭ又は書き換え可能な不揮発メモリなどに記憶しておき、ＡＤ変換器１４からの出力値から、ＲＯＭや不揮発メモリに記憶しておいたこのデジタル値を減算回路によって減算する。
【００５６】
これにより、キャンセルする固定値であるＤＣオフセット値の設定が簡易になる。また、本実施形態に係る無線通信装置によれば、第１の実施形態の例での効果と同じ効果を得ることができ、第６の実施形態に係る無線通信装置に比べて、オフセットキャンセルをデジタルで行うことによってオフセット値の設定が簡易になる。
【００５７】
（第８の実施形態）
本発明の無線通信装置は、ＡＳＫ変調器５の前段に誤り訂正用の符号化器を設けてもよい。図８は本発明の第８の実施形態に係る無線通信装置の構成図である。ＡＳＫ変調器８の前段にある符号化器１７は、入力されるバイナリデータを符号化して、符号化して得た複数のビットを１ブロックのデータとして記憶する記憶部としてのバッファ１８を有し、このバッファ１８に記憶された１ブロック分のビットの数よりも少ない数を有する複数の連続したビットのパターンの出現回数をカウントし、この出現回数に応じて連続したビットのパターンに１シンボル分のビット数を有する符号語を割り当てて符号化したデータを出力するものである。符号化器１７による誤り訂正には例えば畳み込み符号が用いられる。誤り訂正符号化が行われると、入力される複数のデータビットに誤り訂正用の複数のパリティビットが付加されて、これらのデータビットとパリティビットとがバッファ１８に記憶される。
【００５８】
符号化器１７は、更に、後述するマッピングパターンの通知用のビットを記憶するマッピングパターン通知ビットバッファ１９と、マッピングのパターンを制御するマッピングパターン制御部２０とを有する。このマッピングパターン制御部２０は、バッファ１８に記憶された１ブロック分のビットの数よりも少ない数を有する複数の連続したビットのパターンの出現回数をカウントし、この出現回数に応じて連続したビットのパターンに１シンボル分のビット数を有する符号語を割り当てて符号化したデータを出力する。マッピングパターン制御部２０にはロジック回路が用いられる。本実施形態に係る無線通信装置では、バッファ１８、１９が符号化器として用いられているともいえる。
【００５９】
このような構成の無線通信装置の符号化器１７がデータをバッファリングしてこのデータをシンボルにマッピングする場合、符号化器１７は、１ブロック分のデータに対して、さらに１ブロックのビット数より少ない数を有する複数の連続したビットのパターンに対して、そのパターンが１ブロック内で出現した回数をカウントする。これを１ブロック内のすべてのデータが、どれかのパターンに当てはまるまで繰り返し、出現回数が大きいパターンから順に、０を多く含む符号語を割り当てていく。
【００６０】
具体的には、バッファ１８に複数のビットから成る送信データが入力され、その複数ビットの送信データを１ブロックとした状況を想定する。この１ブロックの送信データは、誤り訂正などの符号化が成されているものであってもよい。
【００６１】
バッファ１８に１ブロック分の送信データが入力された後、マッピングパターン制御部２０は、バッファ１８の送信データに対し、マッピングパターンに対応するビット列から、パターンが合致するビットの個数をカウントする。マッピングパターンとは、変調方式による１シンボルあたりのビット数が異なる場合に複数のビットが取り得る値の集合を指す。例えばＡＳＫ変調が用いられる場合、１シンボルあたりのビット数は１であるので、マッピングパターンは0、1の２パターンである。４値ＰＡＳＫ変調が用いられる場合、１シンボルあたりのビット数は４であるので、マッピングパターンは00、01、10、11の４パターンである。マッピングパターン制御部２０は、変調されるシンボルあたりのビット数ごとにバッファ１８内に記憶された送信データをスキャンする。ＡＳＫ変調ではマッピングパターン制御部２０は送信データを１ビットごとに例えば「１」であるかどうかをスキャンし、４値ＰＡＳＫ変調ではマッピングパターン制御部２０は送信データを２ビットごとに例えば「１１」であるかどうかをスキャンする。マッピングパターン制御部２０はこのスキャンを行って、当てはまるマッピングパターンの数をカウントし、カウントした結果を記憶する。一例として、バッファ１８内の１００ビットの送信データがＡＳＫ変調される場合には、「１」が６０個であり、「０」が４０個であるといったカウント結果が記憶される。
【００６２】
次にマッピングパターン制御部２０は、もっとも数の多いパターンを０点にマッピングするようにマッピングパターンを決定する。バッファ１８内の１００ビットの送信データがＡＳＫ変調される場合には、パターン「１」を０点にマッピングするようにマッピングパターン制御部２０が決定する。
【００６３】
続いてマッピングパターン制御部２０は、決定したマッピングパターンを受信側の移動局や基地局に通知するためのビットを、バッファ回路内のマッピングパターン通知ビットバッファ１９に書き込む。ASK変調では、例えば１ブロックのデータ中に0が1よりも多い場合にはマッピングパターン制御部２０はマッピングパターン通知ビットとしてこのバッファ１９に1を書き込み、1が0よりも多い場合にはマッピングパターン制御部２０はマッピングパターン通知ビットとして0をバッファ１９に書き込む。
【００６４】
この書き込みの終了後、マッピングパターン通知ビットバッファ１９、送信データ用のバッファ１８の順に先頭ビットからASK変調器５によるASK変調処理、０期間判定器２による０期間判定の処理、及びキャリア検出器３によるキャリア検出処理が、第１の実施形態の例と同様に行われる。
【００６５】
これにより、本実施形態に係る無線通信装置によれば、符号化器１７によって変調信号が０となる期間が増加かつ連続するため、キャリア検出を行う時間が連続する確率が増加し、キャリア検出精度が向上するという効果を得ることができる。
【００６６】
（第９の実施形態）
本発明の無線通信装置は、ＩＱ平面上の象限に均等に配置された複数の信号点に加えて０点をも信号点とし、シンボルがこれらの複数の信号点及び０点のうちのいずれかの点になるように、送信データに応じてキャリアの変調を行うPASK変調器を用いることができる。図９は本発明の第９の実施形態に係る無線通信装置の構成図である。本実施形態に係る無線通信装置はＰＡＳＫ変調器２１を備えている。ＰＡＳＫ変調器２１は、キャリアの同相成分及び直交成分に相当する２軸により表されるＩＱ平面上に均等に配置された複数のシンボル点と、０点とからなる信号点のうちのいずれかをとりうる変調方式を用いてキャリア信号をデータにより変調するものである。ＰＡＳＫ変調器２１は、キャリア信号を発生する図示しない搬送波発生手段と、このキャリア信号を増幅する図示しない増幅手段とを備えている。本実施形態においても、０期間判定器２の機能は、複数、例えば２ビットからなる１シンボルあたりの送信バイナリデータを記憶するバッファと、このバッファに記憶されたシンボルが変調されたときの変調信号の電力レベルが０であるタイミングを表す制御信号を出力するロジック回路とが協働することによって実現する。図９に示される符号のうちの上述した符号と同じ符号を有するものはそれらと同じものを表す。すなわち、本実施形態に係る無線通信装置は、第２の実施形態のＡＳＫ変調器５をＰＡＳＫ変調器２１に置き換えた構成を有するといえる。
【００６７】
この無線通信装置が、３ビット以上の送信バイナリデータを用いて１シンボルを送信する場合には、ＰＡＳＫ変調器２１は、１シンボルあたりにバッファから取り込む送信バイナリデータの数を増やす。例えば５値のマッピングを行う場合には、ＰＡＳＫ変調器２１は３ビットをバッファから読み込み、この３ビットをいずれかのシンボル点にマッピングする。
【００６８】
このような構成により、ＰＡＳＫ変調器２１は、従来のPSKマッピングに0点を含むマッピングを行う。マッピング点の例を図１０（ａ）から図１０（ｅ）に挙げる。連続するシンボルをＰＡＳＫ変調器２１がマッピングする場合、点数が奇数又は４であるマッピング方式では、現シンボルを第１のマッピング点へマッピングした後の次のシンボルを、第１のマッピング点と異なる他のマッピング点に必ず移動するなどの制約を本実施形態に係るＰＡＳＫ変調器２１は用いる。
【００６９】
図１１（ａ）、図１１（ｂ）はともに２つの信号点の間のシンボル移動を説明するための図である。例えば２ビットのデータに対して、現シンボルの位置が図１１（ａ）の黒点で示されるように０座標である場合、図１１（ｂ）に示すように、次シンボルのマッピングでは、黒点で表される現シンボルは２ビットの値に応じて０座標以外の４点のうちのいずれかの点に移動する。図１１のように入力データがバイナリで「００」であれば、信号点は(1,1)の座標に移動し、さらに次シンボルでは信号点は(1,1)以外の座標に移動する。
【００７０】
本実施形態に係る無線通信装置によれば、１シンボルあたりのビット数を増加させた上で、送信と同時にキャリアセンスを行うことができるため、高いスループットによる送信とキャリアセンスとを同時に行うことが可能になる。この無線通信装置が複数のシンボル値のマッピングを行う場合には、無線通信装置は複数ビット分のバッファを設けておき、ＰＡＳＫ変調器２１が、１シンボルあたりに取り込む送信バイナリデータの数を増やすことにより、高いスループットによる送信とキャリアセンスとが同時に可能となる。
【００７１】
また、ＰＡＳＫ変調器２１が設けられるため、ＡＳＫ変調よりも高速なデータレートで送信中のキャリア検出機能を実現できる。
【００７２】
（第１０の実施形態）
図１２は本発明の第１０の実施形態に係る無線通信装置の構成図である。この無線通信装置は、直交するＩ軸キャリア及びＱ軸キャリアを用いて送信バイナリデータを直交変調する直交変調部２２を備えている。直交変調部２２は、電力増幅器１０の前段に設けられている。この直交変調部２２は、ＰＡＳＫ変調器２１、発振器８及び２つの第１ミキサ９と、発振器８からのキャリア信号の位相に対して９０°の位相回転を行って９０°の位相が回転したキャリア信号を出力する９０°移相器２３と、２つの第１ミキサ９からの信号を加算する加算器２４とを備えている。２つの第１ミキサ９のうちの一方の第１ミキサ９（ミキサＡ１）は、ＰＡＳＫ変調器２１からの変調信号と、発振器８からのキャリア信号とを乗算する。他方の第１ミキサ９（ミキサＡ２）は、ＰＡＳＫ変調器２１からの変調信号と、発振器８から出力される信号の位相を９０°移相させたキャリア信号とを乗算する。電力増幅器１０は加算器２４からの出力を増幅する。その他の符号を有する各部の機能については、上述したそれらの機能と同じである。
【００７３】
このような構成の無線通信装置において、ＰＡＳＫ変調器２１は位相変調を行うため、ＰＡＳＫ変調器２１からの出力はIチャネル及びQチャネルの２系統となる。ミキサＡ１によって発振器８からの出力とIチャネル信号とが乗算される。発振器８からの出力は９０°移相器２３により９０°位相が変化して、この９０°移相したキャリア信号とQチャネル信号とがミキサＡ２によって乗算される。これにより、ＰＡＳＫ変調器２１の出力は直交変調される。
【００７４】
また、０期間判定器２は第４の実施形態の例と同じ動作を行う。電力増幅器１０は直交変調部２２からの出力信号を所定のゲインで増幅する。第２ミキサ１１は、電力増幅器１０の出力と直交変調部２２の発振器８からの出力信号とを掛け合わせる。ＤＣオフセットキャンセラ１３は第２ミキサ１１からの信号から一定値のオフセット電圧を減算する。ＡＤ変換器１４はＤＣオフセットキャンセラ１３から出力されるアナログ信号をデジタル信号に変換する。積分器１５はＡＤ変換器１４からのデジタル信号を０期間判定器２からの制御信号に応じて所定期間積算する。積分器１５は、所定のサンプル数の積分を行った後もしくは所定期間の積算を行った後、又は上位プロトコル処理部から、ネットワーク制御の必要に応じて積算値をリセットするように指示信号を通知された場合には、この指示にしたがって積算値を０にする。閾値判定器１６は積分器１５からの積算値と、閾値とを比較して、積算値が閾値以上である場合にはキャリアを検出したことを判定する。
【００７５】
従って、本実施形態に係る無線通信装置によれば、送信系から受信系に回り込むことによって受信系に生じるＤＣオフセットが除去されるため、キャリア検出機能の精度を向上させることが可能となる。
【００７６】
更に、図１０（ａ）の３値のＰＡＳＫのマッピング例を用いて説明すると、３値ＰＡＳＫである場合には、ＩＱ平面のＩ軸上に、０点と、この０点を挟む両側の２つの点との３点に３つのシンボルが割り当てられる。シンボルが０点である期間はパルス期間の１／３である。ＰＡＳＫ変調器２１が２値のＰＡＳＫ変調を行う場合、無線通信装置がキャリアセンスを行える時間はパルス期間の１／２である。ＰＡＳＫ変調器２１が３値のＰＡＳＫ変調を行う場合、無線通信装置がキャリアセンスを行える時間は同じパルス期間の１／３である。従って、本実施形態に係る無線通信装置は、データの伝送容量に応じてキャリアセンスの時間を変えることができる。
【００７７】
また、送信系から回り込むローカルリークを低減することにより、第１の実施形態の例の効果をより高めることができる。
【００７８】
（第１１の実施形態）
図１３は本発明の第１１の実施形態に係る無線通信装置の構成図である。本実施形態に係る無線通信装置は、ＤＣオフセットキャンセラ１３ａをＡＤ変換器１４の後段に設けている。このＤＣオフセットキャンセラ１３ａは、デジタル値であるＤＣオフセット値を記憶する記憶手段と、ＡＤ変換器１４からの出力からこのＤＣオフセット値を減算する減算回路とを有する。本実施形態においても、ＡＤ変換器１４及びＤＣオフセットキャンセラ１３ａが協働することによって、ＤＣオフセットキャンセラ部の機能が実現する。したがって、ＤＣオフセットキャンセルの処理はデジタルで行われる。上述した符号と同じ符号を有するものはそれらと同じものである。
【００７９】
このような構成により、ＡＤ変換器１４は、ローパスフィルタ１２を介して第２ミキサ１１からアナログ信号をデジタル信号に変換する。ＤＣオフセットキャンセラ１３ａは、ＡＤ変換器１４からのデジタル信号から、一定値のデジタル値であるＤＣオフセット値を減算する。これらのＡＤ変換器１４及びＤＣオフセットキャンセラ１３ａ以外の他の各部の動作については第１０の実施形態の例と同じである。
【００８０】
本実施形態に係る無線通信装置も、ＤＣオフセット値を、端末の各部品のばらつきを測定して予め決定しておく。この無線通信装置では、その決定した値をデジタル値に変換し、このデジタル値をＤＣオフセットキャンセラ１３ａ内の記憶手段に記憶し、ＡＤ変換器１４からの出力値からこの値を減算回路によって減算する。これにより、キャンセルする固定値であるＤＣオフセット値の設定が簡易になる。
【００８１】
また、本実施形態に係る無線通信装置によれば、第１の実施形態の例での効果と同じ効果を得ることができ、第１０の実施形態に係る無線通信装置に比べて、オフセットキャンセルをデジタルで行うことによってオフセット値の設定が簡易になる。
【００８２】
（第１２の実施形態）
本発明の第１２の実施形態に係る無線通信装置は、ＰＡＳＫ変調器２１の前段に誤り訂正用の符号化器を設けている。図１４は本実施形態に係る無線通信装置の構成図である。符号化器１７は入力される送信データに対し、複数のビットを１ブロックとして保持する図示しない記憶部を持つ。
【００８３】
このような構成の無線通信装置を有する端末が誤り訂正を行う場合、符号化器１７は、１ブロック分のデータに対して、さらに１ブロックのビット数より少ない数を有する複数の連続したビットのパターンに対して、そのパターンが１ブロック内で出現した回数をカウントする。これを１ブロック内のすべてのデータが、どれかのパターンに当てはまるまで繰り返し、出現回数が大きいパターンから順に、０を多く含む符号語を割り当てていく。
【００８４】
また、ＰＡＳＫ変調器２１、０期間判定器２及びキャリア検出器３のそれぞれの動作は第９の実施形態の例と同じである。
【００８５】
また、ＰＡＳＫ変調において、符号化器１７により、変調信号が０となる期間が増加かつ連続することによってキャリア検出時間が長くなる。これにより、本実施形態に係る無線通信装置によれば、キャリア検出を行う時間が連続する確率が増加し、キャリア検出精度が向上するという効果を得ることができる。
【００８６】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８７】
また、本発明は、位相平面上の０点を通るいずれの変調方式をも用いることができる。変調されたシンボルが０点にある時間が短い場合には、キャリアの検出の精度が劣化するため、キャリアセンスに要する時間が長くなる。上記の第３の実施形態では、０期間判定器７はダウンカウンタ７ａを用いていたが、本発明の無線通信装置はタイマを有する０期間判定器を備えることもできる。タイマが０期間判定器に用いられた場合には、制御信号を出力する手段は、タイマのタイマ値が１である場合には１を出力するとともに、タイマのタイマ値が０である場合には０を出力する。
【図面の簡単な説明】
【００８８】
【図１】本発明の第１の実施形態に係る無線通信装置の構成図である。
【図２】（ａ）は本発明の第２の実施形態に係る無線通信装置の構成図であり、（ｂ）はＡＳＫ変調器から出力される変調信号の一例を示す図である。
【図３】（ａ）は本発明の第３の実施形態に係る無線通信装置の構成図であり、（ｂ）は本発明の第３の実施形態に係る０期間判定器の構成例を示す図であり、（ｃ）は本発明の第３の実施形態に係るＰＰＭ変調器から出力される変調信号の一例を示す図である。
【図４】本発明の第４の実施形態に係る無線通信装置の構成図である。
【図５】本発明の第５の実施形態に係る無線通信装置の構成図である。
【図６】本発明の第６の実施形態に係る無線通信装置の構成図である。
【図７】本発明の第７の実施形態に係る無線通信装置の構成図である。
【図８】本発明の第８の実施形態に係る無線通信装置の構成図である。
【図９】本発明の第９の実施形態に係る無線通信装置の構成図である。
【図１０】（ａ）〜（ｅ）はいずれも本発明の第９の実施形態に係る無線通信装置によるマッピング点の例を示す図である。
【図１１】（ａ）、（ｂ）はともに本発明の第９の実施形態に係る無線通信装置における２つの信号点の間のシンボル移動を説明するための図である。
【図１２】本発明の第１０の実施形態に係る無線通信装置の構成図である。
【図１３】本発明の第１１の実施形態に係る無線通信装置の構成図である。
【図１４】本発明の第１２の実施形態に係る無線通信装置の構成図である。
【符号の説明】
【００８９】
１…変調器、２，７…０期間判定器、３…キャリア検出器、４…アンテナ部、５…ＡＳＫ変調器（変調器）、６…ＰＰＭ変調器（変調器）、７ａ…ダウンカウンタ、７ｂ…テーブルメモリ、７ｃ…制御信号出力部、８…発振器、９…第１ミキサ、１０…電力増幅器、１１…第２ミキサ、１２…ローパスフィルタ、１３，１３ａ…ＤＣオフセットキャンセラ（ＤＣオフセットキャンセラ部）、１４…ＡＤ変換器（ＤＣオフセットキャンセラ部）、１５…積分器、１６…閾値判定器、１７…符号化器、１８…バッファ（記憶部）、１９…マッピングパターン通知ビットバッファ、２０…マッピングパターン制御部、２１…ＰＡＳＫ変調器（変調器）、２２…直交変調部、２３…９０°移相器、２４…加算器。
【図１】
2008244589.tif 000003
【図２】
2008244589.tif 000004
【図３】
2008244589.tif 000005
【図４】
2008244589.tif 000006
【図５】
2008244589.tif 000007
【図６】
2008244589.tif 000008
【図７】
2008244589.tif 000009
【図８】
2008244589.tif 000010
【図９】
2008244589.tif 000011
【図１０】
2008244589.tif 000012
【図１１】
2008244589.tif 000013
【図１２】
2008244589.tif 000014
【図１３】
2008244589.tif 000015
【図１４】
2008244589.tif 000016